(57)【要約】本発明は、折畳み構造で所望の場所に輸送された後、意図する形態に展開され得る建物又は建物部分として、使用されることを目的とする折畳み式筺状物を提供する。筺状物は、床と、２つの壁体、即ち床部の対向する側から上方に延びる屋根支持部とを備える。第一の屋根部が、壁体又は屋根支持部間の間隙を横断して広がる。少なくとも第二の屋根部が設けられ、この屋根部は、構造体に枢動可能に取り付けられて、輸送中には第一の屋根部を覆い、展開された形態では、第一の屋根部と実質的に同一平面内に広がって外方に延びる。同様に、第二の床部が、輸送中に壁体／屋根支持部に隣接し、展開されると、第一の床部と実質的に同一平面内で外方に延びるように、枢動可能に取り付けられてもよい。更なる壁部が、輸送中に第二の床部に平行に隣接し、展開されると第二の床部から上方に延びるように、第二の床部の端部に枢動可能に連結されてもよく、展開された屋根と相互接続して筺状物を完成する。好ましい形態においては、構造物は、第二の屋根部に枢動可能に取り付けられる第三の屋根部を含み、展開構造では屋根を更に伸長させて、更なる壁部と接合・連結する。【選択図】  図１
2010511811.tif 000002
【特許請求の範囲】
【請求項１】
目的地に輸送する間は折畳み構造をなし、目的地では筺状物が展開構造に設置される折畳み式筺状物であって、
前記筺状物は、床と、床から上方に延びる少なくとも１つの壁体と、壁体に支持されると共に床から上方に間隔を設けて配置される屋根組立体とを含み、
前記屋根組立体は、水平方向の構成部材を有する壁体から第一の方向に横方向に延びる第一の屋根部分と、概ね水平軸線の周りに角運動するように枢動可能に取り付けられて、折畳み輸送構造と展開構造の間を移動する第二の屋根部分とを含み、前記折畳み輸送構造では、第二の屋根部分が少なくとも第一の屋根部分を実質的に覆い、前記展開構造では、第二の屋根部分が前記水平方向の構成部材と反対方向に壁体に対して横方向に延びる、折畳み式筺状物。
【請求項２】
前記屋根組立体が、概ね水平軸線の周りに角運動するように前記第二の屋根部分に枢動可能に取り付けられて、折畳み輸送構造と展開構造の間を移動する第三の屋根部分を含み、折畳み輸送構造では、第三の屋根部分が少なくとも第一及び第二の屋根部分を実質的に覆い、展開構造では、前記水平方向の構成部材と反対方向に第三の屋根部分が第二の屋根部分から横方向に延びる、請求項１に記載の折畳み式筺状物。
【請求項３】
前記床が第一の床部であり、前記筺状物が、概ね水平軸線の周りに角運動するように前記第一の床部に枢動可能に取り付けられて、折畳み輸送構造と展開構造の間を移動する第二の床部を含み、折畳み輸送構造では、第二の床部が少なくとも前記壁体と実質的に平行であり、展開構造では、第二の床部が、前記水平方向の構成部材と反対方向に前記壁体から横方向に延びて、第一の床部と同一平面内にある、請求項１に記載の折畳み式筺状物。
【請求項４】
前記壁体が第一の壁体であり、前記筺状物が、概ね水平軸線の周りに角運動するように前記第二の床部に枢動可能に取り付けられて、折畳み輸送構造と展開構造の間を移動する第二の壁体を含み、折畳み輸送構造では、第二の壁体が少なくとも第二の床部を実質的に覆い、展開構造では、第二の壁体が第二の床部から上方に実質的に垂直に延びる、請求項３に記載の折畳み式筺状物。
【請求項５】
前記屋根組立体が、概ね水平軸線の周りに角運動するように前記第二の屋根部分に枢動可能に取り付けられて、折畳み輸送構造と展開構造の間を移動する第三の屋根部分を含み、折畳み輸送構造では、第三の屋根部分が少なくとも第一及び第二の屋根部分を実質的に覆い、展開構造では、第三の屋根部分が、前記水平方向の構成部材と反対方向に第二の屋根部分から横方向に延びて、前記第三の屋根部分を前記第二の壁体に固定可能に連結する手段を更に含む、請求項４に記載の折畳み式筺状物。
【請求項６】
前記屋根組立体が前記屋根部分を支持するトラスを含む、請求項１に記載の折畳み式筺状物。
【請求項７】
前記トラスがヒンジ・トラスからなる、請求項６に記載の折畳み式筺状物。
【請求項８】
前記屋根部分の１つが、前記屋根組立体を前記展開構造に移行することができる持上げ手段と係合する持上げ機構を含む、請求項５に記載の折畳み式筺状物。
【請求項９】
前記持上げ機構が前記第三の屋根部分の下面に取り付けられる長手方向に延びるアームを含み、前記アームが前記第三の屋根部分に対して長手方向に摺動するように構成されていて、第一の引っ込み位置では、前記アームが前記第三の屋根部分の下側に位置することが可能であり、第二の伸長位置では、前記アームの端部が前記第三の屋根部分の端部を越えて延びる、請求項８に記載の折畳み式筺状物。
【請求項１０】
前記持上げ機構が、概ね水平軸線の周りに角運動するように、前記アームの前記屋根部分の端部に隣接する前記アームに、枢動可能に取り付けられた持上げ部を含んでいて、前記持上げ手段と係合させるために、前記アームに実質的に垂直な位置に前記持上げ部を移行させる、請求項９に記載の折畳み式筺状物。
【請求項１１】
前記持上げ部がその長手方向に沿って延びるスロットを含み、前記アームが前記端部に隣接するピンを含んでいて、使用時に、前記持上げ部が、前記スロットに沿って摺動可能で、かつ前記アームに対して前記軸線の周りに枢動可能である、請求項１０に記載の折畳み式筺状物。
【請求項１２】
前記第二の床部を前記第二の壁体に枢動可能に連結するヒンジを含み、前記床／壁体ヒンジが、一端に一対のフランジ及び他端に旋回軸接続部を有する実質的にＵ字状の本体を含み、前記フランジが前記第二の床部に固着されると共に、前記旋回軸が前記第二の壁体に枢動可能に取り付けられて、使用時に、前記第二の壁体と第二の床部が互いに対して枢動可能である、請求項３に記載の折畳み式筺状物。
【請求項１３】
前記床／壁体ヒンジが、概ね水平軸線の周りに０から９０°まで角運動することができる、請求項１２に記載の折畳み式筺状物。
【請求項１４】
前記第二の壁体が庇／雨樋組立体を含む、請求項８に記載の折畳み式筺状物。
【請求項１５】
前記庇／雨樋組立体が、概ね水平軸線の周りに角運動するように、前記第二の壁体に枢動可能に取り付けられて、折畳み輸送構造と展開構造の間を移動することができ、折畳み輸送構造では、庇／雨樋組立体が前記第二の壁体と実質的に平行であり、展開構造では、庇／雨樋組立体が、第二の壁体から離れて前記第三の屋根部分に向かって延び、前記第三の屋根部分の下面に位置する持上げ機構の前記持上げ部と連結する、請求項１４に記載の折畳み式筺状物。
【請求項１６】
前記庇／雨樋組立体が前記第三の屋根部分から雨水を収集する手段を含む、請求項１４に記載の折畳み式筺状物。
【請求項１７】
前記雨水収集手段が、前記第三の屋根部分の端部から前記第二の壁体に向かって先細りの細長い表面を含み、捕捉された雨水を前記第二の壁体に向かう方向に導く、請求項１６に記載の折畳み式筺状物。
【請求項１８】
前記第二の壁体が下方に延びる雨樋を含み、前記雨樋が前記先細りの表面から前記捕捉された雨水を受け入れる、請求項１７に記載の折畳み式筺状物。
【請求項１９】
前記庇／雨樋組立体と流体接続する貯蔵部を含み、前記貯蔵部が前記捕捉された雨水を貯水する、請求項１８に記載の折畳み式筺状物。
【請求項２０】
前記貯蔵部が貯水槽である、請求項１９に記載の折畳み式筺状物。
【請求項２１】
前記貯蔵部が前記第二の壁体内部に位置する、請求項１９に記載の折畳み式筺状物。
【請求項２２】
前記貯蔵部が天井の上方又は床の下方に位置する、請求項１９に記載の折畳み式筺状物。
【請求項２３】
前記貯蔵部が建物の設備を収容する開口を含む、請求項１９に記載の折畳み式筺状物。
【請求項２４】
前記第一と第二の屋根部分及び／又は前記第二と第三の屋根部分を枢動可能に連結するヒンジを更に含み、前記屋根ヒンジが実質的に平行にかつ横方向に離間した第一の面及び第二の面を有する本体を含み、前記面の各々がその中に位置する円弧状のスロットを有し、一対のサービス・ガイド部材が各スロット内に位置して各スロットに沿って滑り運動し、前記ガイド部材は互いに対して移動可能であり、前記ガイド部材を隣接する屋根部分に取り付けて、使用時に、前記屋根部材が概ね水平軸線の周りに互いに対して角運動可能である、請求項１又は２に記載の折畳み式筺状物。
【請求項２５】
前記屋根ヒンジが、概ね水平軸線の周りに０から１８０°まで角運動することができる、請求項２４に記載の折畳み式筺状物。
【請求項２６】
前記屋根部分の各々が複数の屋根板を含む、請求項１に記載の折畳み式筺状物。
【請求項２７】
隣接する前記屋根板を固定して連結すると共に、概ね水平軸線の周りに角運動することができる板ヒンジを含む、請求項２６に記載の折畳み式筺状物。
【請求項２８】
前記板ヒンジが長手方向に延びる実質的に環状の本体を含み、前記本体には実質的に環状のスロットが前記軸線の周りに延びていて、前記隣接する板の端部が、互いに対して前記軸線の周りに前記隣接する板を角運動するように、前記スロット内に位置付け可能である、請求項２７に記載の折畳み式筺状物。
【請求項２９】
前記床部及び壁体が長手方向に延びる鋼鉄製区画を含み、前記区画が、対応する区画を受け入れて概ねＴ字形接続を形成する少なくとも１つの横チャンネルを有する、請求項１に記載の折畳み式筺状物。
【請求項３０】
前記長手方向に延びる鋼鉄製区画が、前記チャンネル内に位置付け可能な少なくとも１つの支持構造体を含む、請求項２９に記載の折畳み式筺状物。
【請求項３１】
前記鋼鉄製区画が長手方向に沿って延びる少なくとも１つのリブを含む、請求項２９に記載の折畳み式筺状物。
【請求項３２】
前記筺状物を目的地に輸送する容器を更に含む、請求項１に記載の折畳み式筺状物。
【請求項３３】
前記第一の床部が前記容器の床面を形成する、請求項３２に記載の折畳み式筺状物。
【請求項３４】
前記容器がウエブから下方に延びる壁部を備え、折畳み構造における壁部及びウエブが互いに実質的に平行に位置する、請求項３２に記載の折畳み式筺状物。
【請求項３５】
前記筺状物が第一の筺状物であり、第二の筺状物が、前記第一の筺状物に隣接して位置することが可能で、かつ第一の筺状物に固着可能であって、より大きな筺状物を形成する、請求項１に記載の折畳み式筺状物。
【請求項３６】
一緒に固着可能であってハウスを形成する３以上の筺状物を含む、請求項３５に記載の折畳み式筺状物。
【請求項３７】
目的地に輸送する間は折畳み構造をなし、目的地では筺状物が展開構造に設置される折畳み式筺状物であって、前記筺状物は、
第一の床部と、
前記第一の床部にその両側に隣接して連結されて、前記第一の床部から実質的に垂直に延びる少なくとも２つの屋根支持部と、
前記少なくとも２つの屋根支持部の、前記床部から遠位の端部に連結されて、前記２つの屋根支持部間の間隔を横断して広がる第一の屋根部と、
前記第一の屋根部又は前記屋根支持部に枢動可能に連結されて、折畳み構造と展開構造の間を移動可能な少なくとも１つの第二の屋根部と、
前記第一の床部の前記側に又はこれに隣接して枢動可能に連結されて、折畳み構造と展開構造の間を移動可能な少なくとも１つの第二の床部と、
前記第一の床部に又はこれに隣接して連結される第二の床部から遠位の前記第二の床部の端部において前記第二の床部に枢動可能に連結されて、折畳み構造と展開構造の間を移動可能な少なくとも１つの壁部と、を含み、
前記第二の屋根部の折畳み構造では、前記第二の屋根部が前記第一の屋根部を実質的に覆い、前記第二の屋根部の展開構造では、前記第二の屋根部が、前記第一の屋根部と実質的に同一平面内にあって、前記屋根支持部の隣接する端部から前記第一の屋根部の方向と反対方向に延び、
前記第二の床部の折畳み構造では、前記第二の屋根部が前記屋根支持部に実質的に隣接し、前記第二の床部の展開構造では、前記第二の床部が、前記第一の床部と実質的に同一平面内にあって、前記屋根支持部の隣接する端部から前記第一の床部の方向と反対方向に延び、
前記壁部の折畳み構造では、前記壁部が前記第二の床部に実質的に隣接し、前記壁部の展開構造では、前記壁部が、前記第二の床部の端部から垂直に延びて展開した屋根部と相互接続する、折畳み式筺状物。
【請求項３８】
第三の屋根部を更に含み、前記第三の屋根部は、前記第一の屋根部に又はこれに隣接して連結される第二の屋根部から遠位の前記第二の屋根部の端部において前記第二の屋根部の端部に枢動可能に連結されると共に、折畳み構造と展開構造の間を移動可能であり、前記第三の屋根部の折畳み構造では、前記第三の屋根部が前記第二の床部に実質的に隣接し、前記第三の屋根部の展開構造では、前記第三の屋根部が前記第二の屋根部の端部から延びて、前記少なくとも１つの壁部と相互接続する、請求項３７に記載の折畳み式筺状物。
【発明の詳細な説明】
【技術分野】
【０００１】
本発明は、折畳み式筺状物（foldable enclosure）に関し、より詳細には、折畳み構造で輸送されて、目的地で展開することができる住居に関するが、これに限定されるものではない。
【背景技術】
【０００２】
あらゆる形状及び大きさの固定式及び可動式筺状物が世界中で利用されている。かなり大きい筺状物の建造には相当の時間と費用を要する。例えば、住居は、建造するのが複雑であり、多くの様々な熟練した職人の協力が必要である。また、世界のある地域によっては、適切な職人を見つけ出すことが困難である。
【０００３】
特に住居に関して、建造時間は典型的には最低３ヶ月に制約される。かなりの建造時間に、変動する気象条件や様々な環境と共に独立した職人の調整が加わる。職人は、典型的には可能な限り早い期間に仕事を完成させようとするプレッシャーを感じているので、不出来、見込み違い、及び人的ミスが発生する。また、時間的制約や、現場での手動による建造及び部品の組立てに起因して、作業場関連の事故も発生する可能性がある。また、資材が遅れて配送されるか、あるいは一貫性なく欠陥又は間違った製品が供給されると、建造の遅れが発生する。作業現場では、また工具及び資材が行方不明になることもよくあることである。
【発明の概要】
【発明が解決しようとする課題】
【０００４】
上述のような問題が発生することのない工場で建造され、容器中に折り畳まれ、目的地に出荷された後に、できるだけ素早く展開構造に広げることのできる、住居等の筺状物に対する要求がある。本発明の目的は、先行技術の１以上の不具合を実質的に克服する又は少なくとも改善するか、あるいは少なくとも有用な代替物を提供することにある。
【課題を解決するための手段】
【０００５】
それ故、本発明は、第一の態様において、目的地に輸送する間は折畳み構造をなし、目的地では筺状物が展開構造に設置される折畳み式筺状物から構成され：
前記筺状物は、床と、床から上方に延びる少なくとも１つの壁体と、壁体に支持されると共に床から上方に間隔を設けて配置される屋根組立体と、を含み、
前記屋根組立体は、水平方向の構成部材を有する壁体から第一の方向に横方向に延びる第一の屋根部分と、概ね水平軸線の周りに角運動するように枢動可能に取り付けられて、折畳み輸送構造と展開構造の間を移動する第二の屋根部分とを含み、折畳み輸送構造では、第二の屋根部分が少なくとも第一の屋根部分を実質的に覆い、展開構造では、前記水平方向の構成部材と反対方向に第二の屋根部分が壁体に対して横方向に延びる。
【０００６】
それ故、本発明は、第二の態様において、目的地に輸送する間は折畳み構造をなし、目的地では筺状物が展開構造に設置される折畳み式筺状物から構成され：
前記筺状物は、第一の床部と、前記第一の床部の対向する側に隣接して前記床に連結されて、前記床から実質的に垂直に延びる少なくとも２つの屋根支持部と、前記少なくとも２つの屋根支持部の端部に前記床から遠位に連結されて、前記２つの屋根支持部間の間隔を横断して広がる第一の屋根部と、前記第一の屋根部又は前記屋根支持部に枢動可能に連結されて、折畳み構造と展開構造の間を移動可能な少なくとも１つの第二の屋根部と、前記第一の床部の前記対向する側に又はこれに隣接して枢動可能に連結されて、折畳み構造と展開構造の間を移動可能な少なくとも１つの第二の床部と、前記第一の床部に又はこれに隣接して連結される第二の床部から遠位の前記床部の端部において、第二の床部に枢動可能に連結されて、折畳み構造と展開構造の間を移動可能な少なくとも１つの壁部と、を含み、
第二の屋根部の折畳み構造では、前記第二の屋根部が前記第一の屋根部を実質的に覆い、その展開構造では、前記第二の屋根部が、前記第一の屋根部と実質的に同一平面内にあって、前記屋根支持部の隣接する端部から前記第一の屋根部の方向と反対方向に延び、第二の床部の折畳み構造では、前記第二の屋根部が前記屋根支持部に実質的に隣接し、その展開構造では、前記第二の床部が、前記第一の床部と実質的に同一平面内にあって、前記屋根支持部の隣接する端部から前記第一の床部の方向と反対方向に延び、壁部の折畳み構造では、前記壁部が前記第二の床部に実質的に隣接し、その展開構造では、前記壁部が、前記第二の床部の端部から垂直に延びて展開した屋根部と相互接続する。
【図面の簡単な説明】
【０００７】
【図１】折畳み構造から展開構造までの本発明の折畳み式筺状物の側断面図を示す。
【図２】折畳み構造から展開構造までの本発明の折畳み式筺状物の側断面図を示す。
【図３】折畳み構造から展開構造までの本発明の折畳み式筺状物の側断面図を示す。
【図４】折畳み構造から展開構造までの本発明の折畳み式筺状物の側断面図を示す。
【図５】折畳み構造から展開構造までの本発明の折畳み式筺状物の側断面図を示す。
【図６】折畳み構造から展開構造までの本発明の折畳み式筺状物の側断面図を示す。
【図７】折畳み構造から展開構造までの本発明の折畳み式筺状物の側断面図を示す。
【図８】折畳み構造から展開構造までの本発明の折畳み式筺状物の側断面図を示す。
【図９】折畳み構造から展開構造までの本発明の折畳み式筺状物の側断面図を示す。
【図１０】本発明の雨樋及び庇（ひさし）システムの拡大側断面図を示す。
【図１１】図１１Ａ〜Ｃは、本発明の持上げ機構の動作を示す側面図である。
【図１２】図１２Ａ〜Ｅは本発明で使用する屋根連結器を示す。
【図１３】図１３Ａ及びＢは本発明で使用する板連結器（sheet connector）及び屋根板を示し、図１３Ｃ〜Ｈは本発明で使用する別の板／屋根連結器を示す。
【図１４】図１４Ａ〜Ｃは本発明で使用する貯水槽を示す。
【図１５】図１５Ａ及びＢは本発明で使用する壁体／床ヒンジを示す。
【図１６】図１６Ａ〜Ｅは本発明で使用する構造部材を示す。
【図１７】図１７Ａ〜Ｇは、折畳み構造から展開構造までの本発明の筺状物の平面図及び側面図を示す。
【図１８】図１８Ａ〜Ｃは本発明で使用される容器を示す。
【図１９】図１９Ａ及びＢは、本発明の容器及び筺状物と共に使用する更なる連結器を示す。
【図２０】図２０Ａ〜Ｆは本発明で使用する更なる連結器を示す。
【図２１】図２１Ａ〜Ｆは本発明で使用する更なる連結器を示す。
【図２２】図２２Ａ〜Ｄは、本発明で使用されるフーティング（footing；基礎）及びジャッキを示す。
【図２３】図２３Ａ〜Ｅは本発明で使用される下地床組立体（sub floor assembly）を示す。
【図２４】図２４Ａ〜Ｄは本発明で使用されるスライディング機構を示す。
【図２５】図２５Ａ及びＢは本発明に組み入れられる浴室を示す。
【発明を実施するための形態】
【０００８】
添付の図面を参照して、事例のみとして本発明の好ましい実施例を以下に説明する。
添付の図面において、そして、図１〜９に最も良く見られるように、床３と、床３から上方に延びる少なくとも１つの壁体５と、床３から上方に間隔を介して壁体５に支持された屋根組立体７とを備えた、折畳み式筺状物１が概略的に図示される。屋根組立体７は、水平方向の構成部材を有する壁体５から第一の方向に横方向に延びる第一の屋根部分９と、この屋根部分に対して概ね水平軸線の周りに角運動するように、第一の屋根部分９に枢動可能に取り付けられた第二の屋根部分１１とを含む。第二の屋根部分に対して概ね水平軸線の周りに角運動するように、第三の屋根部分１３が第二の屋根部分１１に枢動可能に取り付けられる。
【０００９】
好ましい形態における床３は第一の床部３であり、筺状物１は、第一の床部に対して概ね水平軸線の周りに角運動するように、第一の床部３に枢動可能に取り付けられた第二の床部１５を含む。好ましい形態における壁体５は第一の壁体５であり、筺状物１は、第二の床部に対して概ね水平軸線の周りに角運動するように、第二の床部１５に枢動可能に取り付けられた第二の壁体１７を更に含む。筺状物１は、図８〜１０に最も良く見られるように、第三の屋根部分１３を第二の壁体１７に固定可能に連結する手段１９を含む。
【００１０】
屋根組立体７は、屋根部分９，１１，１３を支持するトラス２１を更に含む。好ましい形態において、トラス２１は、壁体５にヒンジで連結されて、ヒンジ連結トラスを与える。屋根部分９，１１，１３の１つ（好ましい形態では第三の屋根部分１３）は、図１０，図１１Ａ〜１１Ｃに最も良く見られるように、持上げ機構２３を含む。持上げ機構２３は長手方向に延びるアーム２５を含み、アームは取付けブラケット２７を介して第三の屋根部分１３の下面２９に取り付けられる。アーム２５は、アームに対して概ね水平軸線の周りに角運動するように、第三の屋根部分１３の端部３３に隣接するアーム２５に、枢動可能に取り付けられた持上げ部３１を含む。好ましい形態における持上げ部３１は、その長手方向に沿って延びると共に、アーム２５に位置するピン３７と協同するスロット３５を含む。スロット３５はピン３７の周りに枢動することができる。持上げ部３１は、クレーン（図示せず）形式の持上げ手段に連結する開口３９を更に含む。
【００１１】
図１５Ａ及びＢに最も良く見られるように、ヒンジ４１等の形態をした連結器が設けられる。ヒンジ４１は、第二の床部１５を第二の壁体１７に枢動可能に連結する。しかし、ヒンジ４１は、これを筺状物１周辺の様々な領域に利用することができ、上述の使用のみに限定されるものではない。床／壁体ヒンジ４１は、締結手段（図示せず）を受け入れる穴４７付きの一対のフランジ４５を有する実質的にＵ字状の本体４３を含み、フランジ４５を第二の床部１５に固着する。また、本体４３は、例えば第二の壁体１７に枢動取付けされる旋回軸接続部４９等を含む。床／壁体ヒンジ４１は、概ね水平軸線の周りに０〜９０°で角運動可能であり、壁体１７に対して床部１５を枢動する。有利には、床／壁体ヒンジ４１は、筺状物１の２つの構造体を一緒に取り付けて、区画８７内に位置することができる。これにより、９０°の折曲げで継ぎ目のない接合をもたらす。
【００１２】
図１０に最も良く見られるように、第二の壁体１７は、同壁体に対して概ね水平軸線の周りに角運動するように、第二の壁体１７に枢動可能に取り付けられた庇／雨樋組立体５１を含む。庇／雨樋組立体５１は、隣接する第三の屋根部分１３から雨水を収集する手段５３を含む。雨水の流出に役立つように、第三の屋根部分１３は、遠くの端部３３に実質的に半円状の端部３３を含み、雨水手段５３上の凸形状の収集器５４へ雨水を導く。雨水手段５３は、端部３３から第二の壁体１７に向かって先細りの細長い表面５５を含み、捕捉された雨水を第二の壁体１７に向けて導く。第二の壁体１７は、下方に延びる雨樋５７と、雨樋５７及び／又は先細りの表面５５と流体接続する貯蔵部５９とを含む。貯蔵部５９は、貯水槽、袋タンク（bladder）等とすることができる。貯蔵部５９は、壁体１７の外部又は内部に、あるいは、天井の上方に、又は図２３Ａ〜Ｃに示すように床の下方に位置することができる。
【００１３】
貯蔵部５９は、図１４Ａ〜Ｃに最も良く見られるように、建物の設備に便宜を与えるように、長手方向に延びる開口６１等を含む。また、貯蔵部５９を利用して、筺状物１に追加の構造支持体を設け、例えば断熱及び防火に役立ててもよい。廃水又は家庭雑排水等の雨水以外の流体を貯蔵部５９に収容してもよい。貯蔵部５９は、壁パネル等を受け入れる間柱等として作用する部材６２を含む。また、放出弁（図示せず）を利用して、２以上の貯蔵部５９を連結してもよい。
【００１４】
図１２Ａ〜Ｅに示すように、筺状物１は、例えば、第一の屋根部分９と第二の屋根部分１１、及び、第二の屋根部分１１と第三の屋根部分１３を枢動可能に連結するヒンジ６３を更に含む。しかし、ヒンジ６３は、これを筺状物１周辺の様々な領域に利用することができ、上述の使用のみに限定されるものではない。屋根ヒンジ６３は、概ね円弧形状の本体６５を含み、実質的に平行かつ側面に沿って相隔たる第一の面６７及び第二の面６９を含む。各面６７，６９は、円弧状のスロット７１と、その内部に位置してそれぞれのスロット７１に沿って滑り運動するサービス・ガイド部材７３とを含む。ガイド部材７３は、例えば屋根部材９，１１，１３に固着される。屋根ヒンジ６３は、概ね水平軸線の周りに０から１８０°まで角運動することができ、連結する２つの構造要素間に継ぎ目のない連結を作る。
【００１５】
図２０Ａ〜Ｆに示すように、更なる連結器又はヒンジ１３０（見えない）が、壁体、床又は屋根部８７の内部に位置する。連結器１３０は、壁体、床、（又はその他の２つの部材）を連結することができる。ヒンジ１３０は、区画８７内に位置して、点１３３の周りに枢動可能な概ねＹ字状部材１３２を含み、凹部１３６を画成する２つのアーム１３４，１３５を含む。一方のアーム１３５は、ラチェット１３７に向かって延びていて、これに沿って移動可能であり、枢軸点１３３の周りの部材１３２の回転を制限する。ラチェット１３７も枢軸点の周りに回転する。ピストン機構１３８等を利用して、部材１３２又はラチェット１３７を押圧し、互いに係止又はこれを解除することにより、連結器１３０をロック又はこれを解除することができる。
【００１６】
更なるアーム１４０が、隣接する区画８７に固定されて、これから開口１４２を通って延び、部材１３２の凹部１３６内に受け入れられる部分１４１を含む。端部１４５が、枢動軸線回りにラチェット１３７に沿って部材１３２を押圧する。連結器１３０は、屋根、波形の鉄製外装等の覆い資材を折り畳むことができ、折畳み接合部を補修又は継ぎ当てる必要がない。
【００１７】
図１３Ａ及びＢに示すように、屋根部分９，１１，１３は複数の屋根板７５を含むことができる。連結器又はヒンジ７７が、隣接する屋根板７５を連結し、概ね水平軸線の周りに角運動することができる。板ヒンジ７７は、長手方向に延びる実質的に環状の本体７９を含み、本体は実質的に環状のスロット８１を有する。隣接する屋根板７５の端部８３が、スロット８１内に位置することができ、スロットに対して角運動する。
【００１８】
図１３Ｃ〜Ｈに示すように、更なる連結器組立体１００が図示されている。連結器組立体１００は、主として屋根部分９，１１，１３の連結に使用され、図１３Ａ及びＢに示すものと別の連結器である。連結器１００は、区画８７等の支持構造体内に位置し、引っ込み位置と伸長位置の間を移動可能な部材１０２と、バネ１０３とを含む。部材１０２は区画８７上の旋回軸に接続される。バネ１０３は部材１０２の一端部に連結され、バー１０４がその他端部に連結される。バー１０４は、区画８７から長手方向に延びていて、隣接する区画８７をバー１０４から横方向に押圧する。この動きにより、隣接する屋根部分と区画８７が、隣接する屋根部分１０８間に連結片１０５を摺動可能として、２つの屋根部分１０８が継ぎ目なしに連結可能になり、防水膜を作り出す。機械的、油圧、又は電気的手段（図示せず）により、筺状物１の全ての別の連結器／ヒンジと同様に連結器１００を作動させることができる。
【００１９】
図１６Ａ〜Ｅに最も良く見られるように、筺状物１は、構造物区画８７を含み、構造物区画８７は、対応する区画８７を受け入れる少なくとも１つの横チャンネル８９を含み、概ねＴ字形接続を形成する。区画８７は、また、その長手方向に沿って延びる少なくとも１つのリブ９１を含む。区画８７は、ベース９３、上方に延びる壁部９５、及び外方に延びるフランジ９７を有する。区画８７内部に強化又は支持ブロック９６を挿入して、筺状物１に接合強度及び剛性を付与することができる。ブロック９６は、チャンネル９４を備えることができる。好ましい形態におけるブロック９６は、プラスチックから製造されるが、任意の好適な材料から製造されてもよく、区画８７は鋼鉄製区画であることが好ましい。このようにして、単一の形成された区画８７は、壁体、屋根、及び床に使用され、筺状物１に構造フレームを提供することができる。
【００２０】
図１〜９及び図１８Ａ〜Ｃに見られるように、筺状物１は、これを目的地まで輸送する容器９９を含むことができる。筺状物１の第一の床部３は容器９９の床面を形成することができる。好ましい形態において、筺状物１は住居又はハウスとなり、従って図面に見られるように、多くの筺状物１を一緒に連結して、ハウス又は建物等のかなり大きな筺状物（図１７Ａ〜Ｇ参照）を形成することができる。筺状物１の基礎又はフーティングとして作用する予め用意されたジャッキ／スタンド上に、容器９９を降下させることができる。ジャッキ／スタンド上に筺状物１を着座させたままの状態で、容器９９のシェルが回収される。
【００２１】
図１８Ａ〜Ｃに示すように、容器９９の壁部１０７は上面ウエブ１２０に対して枢動可能であり、壁部１０７とウエブ１２０が、折畳み構造において実質的に平行となり得る、即ち“平坦なパック”を提供することが可能である。空の折畳み容器９９（５又は３側面）は、製造時の“平坦なパック”に戻り、別の筺状物１が再充填される。また、容器９９はフックや取付板等の各種の標準装備を含むことができ、通常の容器と同様に容器９９を移動することが可能である。
【００２２】
図１９Ａ及びＢに示すように、容器９９の壁部１０７は、筺状物１の第一の床部３に壁部１０７を固着する連結器１１０を更に含む。連結器１１０はあらゆる型式のものから構成できるが、好ましい実施の形態では、ピン、ロッド等１１２が、壁部１０７から延びて床部３の開口１１４内に位置することが可能である。ピン１１２が床部３に位置すると、ピン１１２が回転してその端部に位置するラッチ１１６を作動させることができる。ラッチ１１６は床部３の内部フランジ１１８に追随して、壁部１０７と床部３を一緒にロックする。ラッチ１１６は、連結を支援するラチェット、バネ、クリップ等を含むことができ、また、手動、油圧による、又は電子的な解放（図示せず）を含むことができる。連結器１１０はネジ又はボルトを必要としない。更に、連結器１１０は、筺状物１の構造要素内に隠れていて、見えないようになっている。
【００２３】
また、前記連結器１１０を使用して、筺状物１の他の部品を一緒に固定することができるが、連結器はこのような使用に限定されるものではない。従って、容器９９は、在中物（筺状物１である）が容器９９内部に置かれると、容器の安全性を提供するロック・システムを含む。容器９９を広げたり折り畳むために、容器９９は油圧式持上げ軸を介して操作される。筺状物１はいかなる大きさであってもよいので、容器９９も、これに応じて様々な大きさであってもよく、容器９９の長さを変化させるために分割されたパネル等を使用して、様々な筺状物の大きさに適応させることができる。
【００２４】
図２１Ａ〜Ｆに見られるように、１８０°回転を行う更なる連結器又はヒンジ１６０が設けられる。ヒンジ１６０は、概ねＷ字形構造を有する本体１６２を含み、区画８７内で連結可能である。本体１６２の各端部には、隣接する区画８７に枢動可能に取り付けられて、放射軸の周りに運動する部分１６６を有するアーム１６４が位置する。壁体、床パネル等を備えた区画８７がこれらに取り付けられる。接合は、図２１Ｄに示すように、パネルのテーパー状端部と本体１６２により継ぎ目のない接合をもたらす。
【００２５】
図２４Ａ〜Ｄに示すように、筺状物１中に位置する戸棚等２２０がガイド２２２に沿って移動する多くのローラ２２１を含み、戸棚２２０を移動可能にする。戸棚２２０はこれを所定の位置に係止するピン２２３を含む。戸棚２２０は、また、壁部２２４と共に完全なシールを行う。これにより、筺状物１で使用する戸棚、衣装棚等が折畳み領域から離れて摺動し、固定接合部を有することなく折り曲げることができるようになる。
【００２６】
図２５Ａ及びＢに示すように、現場で取付けを必要とせず工場で完全防水を含むことのできる浴室設備２３０が設けられる。浴室２３０は、その周辺に間隔を設けて配置された排水管２３２を含む。排水管２３２は、所定の箇所に固定されたタイルと共にシールを行う。排水管２３２は、床面から水を捕捉し、防水膜を置き換えるスカート輪郭をを含み、床材に留められる。
【００２７】
図２２Ａ〜Ｄに示すように、用地が造成されると、穴が掘られ、アンカー組立体１８０がコンクリートで固められてフーティングを準備する。これらのアンカー組立体１８０は任意の典型的な型から構成される。しかし、図示の実施例では、前記組立体は、地表面でコンクリート１８２内に固着されて長手方向に延びる第一の部材１８１を含み、これに沿って延びる多数の開口１８３を有する。伸縮自在の部材１８４が、第一の部材１８１内に位置付け可能であり、そこから長手方向に延びている。伸縮自在の部材１８４は、対応する開口１８６及びロック・ピン１８７を含み、地面上方の特定の高さに２つの部材を固定する。アンカー支柱１８９等が、伸縮自在の部材１８４の端部に固着され、筺状物１の下地床１９０に固着可能である。アンカー支柱１８９は回転する調節手段１９２を含み、これにより例えば地面からの下地床１９０の高さを調節することができる。
【００２８】
図２３Ａ〜Ｅに示すように、下地床１９０は、筺状物１の床３に連結される２つの横断部材１９４，１９５を含むことができる。下地床１９０は、地面上方に高さを与えるアンカー支柱１８９に取り付けられる。貯蔵部５９は、下地床１９０の下側に位置して、貯蔵部の側面に枢動可能に連結されるフランジ１９８を含むことができる。伸長位置では、フランジ１９８はガイド２００内に配置可能である。部材１９４，１９５の設計により、貯蔵部５９は、容易に所定の位置に設置でき、又は何時でも取り外すことができる。
【００２９】
使用に際しては、筺状物１は筺状物工場における組立ラインで完全に組み立てられる。工場で完成すると、筺状物１は、目的地に輸送するために、折畳み構造（例えば、図１参照）で容器９９内に収納され、目的地では、筺状物１が展開構造（例えば、図９参照）で設置されることになる。
【００３０】
筺状物１が目的地に到着する前に、筺状物１の到着に合わせて用地を造成する必要がある。土地が筺状物１の到着に合わせて造成され、平らにされる。整地にコンクリートを注入しながら同時に、予め建造されたフーティング・フレームを設置する。これは、フーティング・フレーム内に組み込まれたガイド板及び標尺を用いて完了し、フーティング・フレームが、正しく、かつ、あらゆる人的ミスの可能性を低減するように設置されることを保証する。
【００３１】
フーティング・フレーム上にネジ留めするように設計された専用のジャッキ・スタンド１８０が、この時取り付けられる。ジャッキ・スタンド１８０は、調節可能であり、様々な地表の高さに適応する。予め組み立てられた下地枠１９０上を摺動するピンが、ジャッキ・スタンド１８０に取り付けられる。また、筺状物には自己ガイド板が含まれる。予め組み立てられた枠は、ジャッキ・スタンド１８０上に設置され、正しい高さに調節される。前記枠は所定の箇所が切り抜かれて確実に正確かつぴったり嵌るので、枠１９０をジャッキ・スタンド１８０にネジ留めする必要がない。予め組み立てられた床枠は、雌クリッピング・システムと、居住床をクリップ留めするピンとを保持する。
【００３２】
筺状物１が到着すると、筺状物１をクレーンで持ち上げて下地枠１９０上に設置する。クリッピング・システムと一緒に床は、ネジを用いることなく直接、前もって設置された下地枠１９０上に容易にクリップで留まる。クレーンは、筺状物１を覆うように最初に置かれた前述の専用の容器９９を取り除く。容器９９は床３を形成するために位置決めされる。
【００３３】
故に、床３がこの時クリッピング・システムにより枠上に設置される。クレーンが筺状物１周囲から容器９９を取り除く。折畳み輸送構造における第二の床部１５と第二の壁体１７は、図１に最も良く見られるように、互いに及び第一の壁体５と実質的に平行である。第二の床部１５及び第二の壁体１７は、この時第一の壁体５から離れ、方向構成部材と反対方向にそれぞれのヒンジの周りの角運動により、展開構造（図５に図示）に枢動されて、第二の床１５が第一の床部３と同一平面内にあり、第二の壁体１７が第二の床部１５から上方に実質的に垂直に延びる。
【００３４】
図１１Ａ〜Ｃに最も良く見られるように、持上げ部３１をアーム２５に実質的に垂直として、クレーンが穴３９を介して持上げ部３１に連結できるように、持上げ機構２３を位置合わせする。クレーンは、折畳み構造において少なくとも互いに実質的に覆われている第一、第二及び第三の屋根部分９，１１，１３を広げて、これらを展開構造に広げる。展開構造では、第二及び第三の屋根部分１１，１３が、第一の屋根部分９の方向構成部材と反対方向に、壁体５に対して横方向に広がる。次いで、第三の屋根部分１３が連結部１９を介して第二の壁体１７に連結される。
【００３５】
次に、庇／雨樋５３が枢動されて第二の壁体１７から離れ、連結部１０１を持上げ機構２３の持上げ部３１に連結させることができる。図１０に最も良く見られるように、その後、各板７５が少なくとも互いに実質的に覆われる折畳み構造から、各板７５が互いに隣接して広がる展開構造に、屋根板７５が広げられる。
【００３６】
スライディング・システム（図２４Ａ〜Ｄ参照）は、壁体、衣装棚等の内部構造体を容器９９の折畳み領域内に位置させて輸送中に完成位置から待避させ、筺状物１が目的地に所在すると、後退させ完成位置に摺動させることができる。筺状物１の設備がこの時連結され、内部の最後の仕上げが完了する。すると、筺状物１は人が住むための準備が整う。
【００３７】
有利には、本発明は、少なくとも好ましい形態において、住宅居住者の主なる利用のために工場内の生産ラインで建造及び組立てられた移転可能な住居を提供する。本発明の簡易性により、従来の大半の住居には普通見られない追加の機能を組み込むこと、及び工場から出荷する前に実質的に全ての付属品を包含させることが可能になる。好ましい形態では、個々の構成部材は単独では販売されないであろう。筺状物１の構造は高級鋼鉄から構成され、それは、現在筺状物１用に使用されている従来の材料よりも高水準の耐久性をもたらすと共に、材料の強度及び長持ちする特性に起因して、優れた輸送性をもたらす。
【００３８】
筺状物１は、考えられる限りでは任意の大きさの床面積を有することが可能であって、ガレージ、２階建て等の増築に対応することも可能であり、どのような場所にでも輸送することが可能である。更に、リサイクル、太陽光発電及び風力機能等の“グリーン（環境に優しい）”製品域を、輸送前に追加・組み込むことも可能である。その上、筺状物１が設計されて工場で建造される際に、個別の消費者に完全な特注生産を可能にする。
【００３９】
筺状物１の全てのヒンジは、外側及び内側の壁体と床とが目視できる継ぎ目のない状態で、９０°から１８０°まで折り曲げることが可能である。継ぎ目又は接合部は、更なる仕上げ、あるいは接合部が全く“継ぎ目なし”とみなされるような状態にする必要がないので、ヒンジは広げる過程を最終工程とすることが可能である。また、内側及び外側が共に全く“防水”とみなされる状態で、連結器／ヒンジは２枚のパネルの接合を行う。
【００４０】
それ故に、筺状物１の組立てには決められた手続きがあって、人的ミス発生の可能性がほんの僅かしかないので、筺状物１は建造時に時間のズレ及び遅延が最小となる。筺状物１は工場内の生産ラインで建造されるので、納入の注文から配送までの時間のズレがほんの僅かしかなく、品質管理を確実に行うことができる。更に、資材又は天候に関する問題が生じないため、消費者にかかる費用の変動が小さい。また、屋根部分１３の端部３３下側に位置する凸型雨樋組立体５１は、ゴミ類の捕捉が最小であり、水の濾過が最大であって、耐火性であることが指摘される。雨樋組立体５１は、また、濾過系等又は様々な形状を含んでもよく、あるいは種々の材料から製造されてもよい。
【００４１】
雨樋組立体５１は、タンク等に貯蔵する前の雨水を収集する方法又は豪雨による雨水の廃棄方法を提供する。また、組立体５１は、筺状物１の構造物への建造過程時に制御する持上げ装置３１と合体している。組立体５１は、その最外端が筺状物１に接着され、屋根の最外端の線上にある。更に、内側及び外側の建造上の特徴を作り出すために、折り目、ヒンジ、及び接合部が隠蔽される。建造上の特徴は、隣接するクリップで予め組み立てられる。これは、住居が組立局面に達すると、残りの全てのプレファブを所定の箇所に単にクリップする状況にすぎなくなることを意味する。このように、僅かな時間で美的側面並びに隠蔽する局面が対処される。
【００４２】
また、輸送用容器９９は折曲げ可能な壁部を備え、コンパクトな状態で工場に返送できるだけでなく、筺状物１を最大限保護できる。注目すべきは、台所、浴室、ドア、窓、付属品等の構成部材は全て、工場で完成されて据え付けられ、輸送される容器中に含まれることである。クリッピング・システムの使用により、ネジ及びボルトの実質的な使用が省かれる。例えば、筺状物１は、広範な材料から製造されることができ、鋼鉄、アルミニウム、金属等に限定されてはならないことに注目すべきである。更に、筺状物１の要素は、水平軸線の周りに枢動しなくてもよく、筺状物１の方向に応じて垂直軸線の周りに枢動することもできる。
【００４３】
筺状物１を再度折り畳んで移動できることに注目すべきである。即ち、前述の折畳み工程を逆にして、異なる場所で、屋根、壁体、及び他の構成部材等を再度折畳み、再梱包、組立て直し、移動、及び再建造することができる。開いた構造の筺状物１は、通常の技法で建造された典型的な家屋と区別できるであろう。
【００４４】
説明自体の一般性に限定すると考えるべきでない好ましい実施例により、本発明が説明された。説明中に言及された特定の整数は、必要に応じて、既知の均等物を含むものとみなされる。当然のことながら、当業者であれば、本発明は他の多くの形態に具体化されるであろう。
【図１】
2010511811.tif 000003
【図２】
2010511811.tif 000004
【図３】
2010511811.tif 000005
【図４】
2010511811.tif 000006
【図５】
2010511811.tif 000007
【図６】
2010511811.tif 000008
【図７】
2010511811.tif 000009
【図８】
2010511811.tif 000010
【図９】
2010511811.tif 000011
【図１０】
2010511811.tif 000012
【図１１Ａ】
2010511811.tif 000013
【図１１Ｂ】
2010511811.tif 000014
【図１１Ｃ】
2010511811.tif 000015
【図１２Ａ】
2010511811.tif 000016
【図１２Ｂ】
2010511811.tif 000017
【図１２Ｃ】
2010511811.tif 000018
【図１２Ｄ】
2010511811.tif 000019
【図１２Ｅ】
2010511811.tif 000020
【図１３Ａ】
2010511811.tif 000021
【図１３Ｂ】
2010511811.tif 000022
【図１３Ｃ】
2010511811.tif 000023
【図１３Ｄ】
2010511811.tif 000024
【図１３Ｅ】
2010511811.tif 000025
【図１３Ｆ】
2010511811.tif 000026
【図１３Ｇ】
2010511811.tif 000027
【図１３Ｈ】
2010511811.tif 000028
【図１４Ａ】
2010511811.tif 000029
【図１４Ｂ】
2010511811.tif 000030
【図１４ｃ】
2010511811.tif 000031
【図１５Ａ】
2010511811.tif 000032
【図１５Ｂ】
2010511811.tif 000033
【図１６Ａ】
2010511811.tif 000034
【図１６Ｂ】
2010511811.tif 000035
【図１６Ｃ】
2010511811.tif 000036
【図１６Ｄ】
2010511811.tif 000037
【図１６Ｅ】
2010511811.tif 000038
【図１７Ａ】
2010511811.tif 000039
【図１７Ｂ】
2010511811.tif 000040
【図１７Ｃ】
2010511811.tif 000041
【図１７Ｄ】
2010511811.tif 000042
【図１７Ｅ】
2010511811.tif 000043
【図１７Ｆ】
2010511811.tif 000044
【図１７Ｇ】
2010511811.tif 000045
【図１８Ａ】
2010511811.tif 000046
【図１８Ｂ】
2010511811.tif 000047
【図１８Ｃ】
2010511811.tif 000048
【図１９Ａ】
2010511811.tif 000049
【図１９Ｂ】
2010511811.tif 000050
【図２０Ａ】
2010511811.tif 000051
【図２０Ｂ】
2010511811.tif 000052
【図２０Ｃ】
2010511811.tif 000053
【図２０Ｄ】
2010511811.tif 000054
【図２０Ｅ】
2010511811.tif 000055
【図２０Ｆ】
2010511811.tif 000056
【図２１Ａ】
2010511811.tif 000057
【図２１Ｂ】
2010511811.tif 000058
【図２１Ｃ】
2010511811.tif 000059
【図２１Ｄ】
2010511811.tif 000060
【図２１Ｅ】
2010511811.tif 000061
【図２１Ｆ】
2010511811.tif 000062
【図２２Ａ】
2010511811.tif 000063
【図２２Ｂ】
2010511811.tif 000064
【図２２Ｃ】
2010511811.tif 000065
【図２２Ｄ】
2010511811.tif 000066
【図２３Ａ】
2010511811.tif 000067
【図２３Ｂ】
2010511811.tif 000068
【図２３Ｃ】
2010511811.tif 000069
【図２３Ｄ】
2010511811.tif 000070
【図２３Ｅ】
2010511811.tif 000071
【図２４Ａ】
2010511811.tif 000072
【図２４Ｂ】
2010511811.tif 000073
【図２４Ｃ】
2010511811.tif 000074
【図２４Ｄ】
2010511811.tif 000075
【図２５Ａ】
2010511811.tif 000076
【図２５Ｂ】
2010511811.tif 000077
【国際調査報告】
2010511811.tif 000078
2010511811.tif 000079
2010511811.tif 000080